(57)【要約】【課題】遊技の邪魔にならず、なおかつ狭い機内において扉体側からの不正操作器具の遊技面への不正な侵入を確実に防止することが可能なパチンコ遊技機を提供すること。【解決手段】パチンコ遊技機は遊技面２７ａと、発射されたパチンコ球を上方に導くとともに遊技領域を区画する内レール５２とが配設された遊技盤とを備えている。遊技盤の前面は扉枠によって閉鎖されるようになっている。扉枠にはガラス板によって封鎖された窓部とパチンコ球を貯留する上受け皿が設けられている。ガラス板はガラスフレーム７６に取り付けられた状態で扉枠の背面に配置されている。このようなガラスフレーム７６には前記遊技盤に対して扉枠閉鎖された状態で内レール５２の下側と重複する位置に進出する庇部９９が形成されている。これによって不正操作器具の挿入が困難になる。【選択図】      図７
2014230953.tif 000002
【特許請求の範囲】
【請求項１】
遊技釘等の障害物に干渉されながらパチンコ球が落下する遊技領域を有する遊技面と、
パチンコ球発射機構から発射されるパチンコ球を上方に導くとともに同遊技領域を区画す
るレール部材とが配設された遊技体と、
同遊技体の前面に対し開閉可能に装着され、同遊技体に対して閉鎖された状態で前記遊
技面を目視させるための窓部を有するとともに、同窓部の下方位置に形成され前記遊技面
よりも下方位置に配置された通路を介して前記遊技体から放出されるパチンコ球を貯留す
るパチンコ球用受け皿を有する扉体とを備え、
前記扉体には後方に向かって突出する突出部が形成され、同扉体が前記遊技体に対して
閉鎖された状態で同突出部は前記レール部材の外方であって同レール部材に隣接した位置
に進出することを特徴とするパチンコ遊技機。
【発明の詳細な説明】
【技術分野】
【０００１】
本発明は、遊技釘等の障害物に干渉されながらパチンコ球が落下する遊技面を有し、パ
チンコ球発射機構から発射されるパチンコ球を上方に導くレール部材が遊技面の下方域に
配設されたパチンコ遊技機に関するものである。
【背景技術】
【０００２】
従来からパチンコホールや遊技者によるパチンコ遊技機の出球率を変更させる不正行為
が後を絶たない。例えば、パチンコホールにおいて制御基板にアクセスしてロムに外部か
ら電流を流すことで遊技内容を改変したり、制御基板自体、あるいはロムを交換してしま
ったりすることが従来から問題となっている。このようなパチンコ遊技機のソフト面に対
する不正行為は多くは大当たり確率を改変することを目的として行われる。このような不
正を防止する手段として数多くの不正防止手段が提案されている。一例として特許文献１
を挙げる。    
【特許文献１】特開２００４−８９７３３号公報
【発明の概要】
【発明が解決しようとする課題】
【０００３】
このような制御機構に関する不正の他に、遊技者が実際に遊技釘を外部から不正操作し
てパチンコ球を入賞口（始動口）に入りやすくするという不正行為も行われている。パチ
ンコ遊技機において遊技者側から見て最も不正行為のインターフェースとなりやすいのは
上受け皿に面したパチンコ球を上受け皿に流入させるためのパチンコ球流入口の通路であ
る。これは同流入口の通路壁面に孔を開けて、その孔からワイヤのような細長い道具を使
用して遊技面にアクセスして遊技釘を不正に曲げるという操作を行うものである。
この位置は扉枠の奥まった位置にあるため不正操作が発見されにくく、なおかつ遊技面
にも近い。更に、不正操作を行う際には遊技者の手は上受け皿付近に置かれなければなら
ないが、遊技者の手がこの付近にあっても遊技において格別不自然に見えないため不正行
為者にとっては有利である。  
【０００４】
この不正行為は例えば次のような手順で行われる。  図３０に示すように、不正行為者
は扉枠１５０の上受け皿１５１に面したパチンコ球流入口１５２の内部通路壁面１５２ａ
に工具を使用して扉枠１５０の裏面に連通する透孔１５３を形成する。そして図３１に示
すようにワイヤ１５４を透孔１５３から侵入させ、扉枠１５０の背後に配置された遊技盤
１５５の遊技面１５５ａ上に導く。
このとき、パチンコ遊技機の各部材とワイヤ１５４との位置関係は次のようになる。正
面から目視してレール１５６はパチンコ球流入口１５２よりも上方位置に左右に横切るよ
うに配置されている。不正行為者はワイヤ１５４をレール１５６の前面を交差するように
上方に向かって通過させ、更に大入賞口１５７の側面を通過させて入賞口（始動口）１５
７の上部の２本の命釘となる遊技釘１５８の図上左方の遊技釘１５８Ａの頭部に引っ掛け
るようにする。そしてワイヤ１５４を強く引っ張ることで入賞口（始動口）１５９の上部
の遊技釘１５８の間隔を拡げるようにする。これによってパチンコ球が入賞口（始動口）
１５７に入りやすくなって入賞回数が増え、入賞口（始動口）１５９への入賞の増加に伴
って図柄表示装置１６０で図柄の変動表示が不正前に比べて多く行われることとなり、結
果としていわゆる「大当たり」と呼ばれる変動表示後の停止確定図柄が予め設定した特定
の当たり図柄になる確率が不当に上昇することとなってしまう。  
【０００５】
このような不正を防止するにはワイヤ１５４が遊技釘１５８Ａに至る途中に遊技釘１５
８Ａに達することのできないような何らかの通行妨害手段を追加して設けることが考えら
れるが、不用意に追加部材を装着することは遊技の邪魔になり、また、パチンコ遊技機は
多くの構成部材が狭い領域に集合して組み立てられた精密機械であるため余分なスペース
があまりなく、このような追加部材を装着するのは設計上必ずしも容易ではない。そのた
め、従来では十分な防止措置が講じられていなかった。  本発明は、このような従来の技
術に存在する問題点に着目してなされたものである。その目的とするところは、遊技の邪
魔にならず、なおかつ狭い機内において扉体側からの不正操作器具の遊技面への不正な侵
入を確実に防止することが可能なパチンコ遊技機を提供するものである。
【課題を解決するための手段】
【０００６】
上記の目的を達成するために発明１では、遊技釘等の障害物に干渉されながらパチンコ
球が落下する遊技領域を有する遊技面と、パチンコ球発射機構から発射されるパチンコ球
を上方に導くとともに同遊技領域を区画するレール部材とが配設された遊技体と、同遊技
体の前面に対し開閉可能に装着され、同遊技体に対して閉鎖された状態で前記遊技面を目
視させるための窓部を有するとともに、同窓部の下方位置に形成され前記遊技面よりも下
方位置に配置された通路を介して前記遊技体から放出されるパチンコ球を貯留するパチン
コ球用受け皿を有する扉体とを備え、前記扉体には後方に向かって突出する突出部が形成
され、同扉体が前記遊技体に対して閉鎖された状態で同突出部は前記レール部材の外方で
あって同レール部材と隣接する位置に進出することをその要旨とする。  
【０００７】
上記のような構成では、遊技体は遊技釘等の障害物に干渉されながらパチンコ球が落下
する遊技領域を有した遊技面を備え、更に、その遊技面の下方にはパチンコ球発射機構か
ら発射されるパチンコ球を上方に導くレール部材が配設されている。レール部材は遊技領
域を区画する。扉体はこのような遊技体の前面に開閉可能に装着されている。遊技体の前
面に開閉可能に配置される扉体は窓部を有し、遊技面は窓部を介して前方側から目視可能
とされている。また、窓部の下方位置には遊技面よりも下方位置に配置された通路を介し
て遊技体から放出されるパチンコ球を貯留するパチンコ球用受け皿が形成されている。  
このような構成において、更に扉体には後方に向かって突出する突出部が形成されている
。形成手段や形成場所は特に限定されるものではない。扉体が遊技体に対して閉鎖された
状態で突出部はレール部材の外方であって同レール部材と隣接する位置に進出する構成を
採用している。ここに、レール部材の外方とはレール部材を挟んで遊技領域とは反対側を
いう。遊技体側からはレール部材が突出し、扉体側からは突出部が突出することによる両
者の位置関係によって遊技領域と同遊技領域の外側領域との間はストレートな空間ではな
くなるため不正操作部材の通過が困難となる。  
【０００８】
このような構成とすることによって、扉体が遊技体に対して閉鎖された状態においてパ
チンコ球用受け皿への通路に孔を開けてワイヤのような不正操作器具をこの孔から侵入さ
せても、レール部材と突出部との協同作用によってこの間の空間が屈曲して通過しにくく
しなっているため不正操作器具はレール部材を越えて遊技領域に進出しにくくなる。
また、突出部は扉体の開放に伴って扉体とともにレール部材と重複した位置から移動し
て離間するため、遊技体側の点検のために扉体を開放した際に突出部が点検作業の邪魔に
なることはない。  
【０００９】
また、上記の目的を達成するために発明２では、遊技釘等の障害物に干渉されながらパ
チンコ球が落下する遊技領域を有する遊技面と、パチンコ球発射機構から発射されるパチ
ンコ球を上方に導くとともに同遊技領域を区画するレール部材とが配設された遊技体と、
同遊技体の前面に対し開閉可能に装着され、同遊技体に対して閉鎖された状態で前記遊技
面を目視させるための窓部を有するとともに、同窓部の下方位置に形成され前記遊技面よ
りも下方位置に配置された通路を介して前記遊技体から放出されるパチンコ球を貯留する
パチンコ球用受け皿を有する扉体と、板状の透明体と同透明体を保持する保持枠体を有し
、前記扉体の背面側に配設されて前記窓部を封塞する透明体ユニットとを備え、前記透明
体ユニットの前記保持枠体には後方に向かって突出する突出部が形成され、前記扉体が前
記遊技体に対して閉鎖された状態で同突出部は前記レール部材の外方であって同レール部
材と隣接する位置に進出することをその要旨とする。  
【００１０】
上記のような構成では、遊技体は遊技釘等の障害物に干渉されながらパチンコ球が落下
する遊技領域を有した遊技面を備え、更に、その遊技面の下方にはパチンコ球発射機構か
ら発射されるパチンコ球を上方に導くレール部材が配設されている。レール部材は遊技領
域を区画する。扉体はこのような遊技体の前面に開閉可能に装着されている。遊技体の前
面に開閉可能に配置される扉体の窓部には背面側に透明体ユニットが配設されている。透
明体ユニットは板状の透明体と同透明体を保持する保持枠体を有している。遊技面は窓部
を介して前方側から目視可能とされている。また、窓部の下方位置には遊技面よりも下方
位置に配置された通路を介して遊技体から放出されるパチンコ球を貯留するパチンコ球用
受け皿が形成されている。
このような構成において、更に透明体ユニットの保持枠体には後方に向かって突出する
突出部が形成されている。形成手段や形成場所は特に限定されるものではない。扉体が遊
技体に対して閉鎖された状態で突出部はレール部材の外方であって同レール部材と隣接す
る位置に進出する構成を採用している。ここに、レール部材の外方とはレール部材を挟ん
で遊技領域とは反対側をいう。遊技体側からはレール部材が突出し、扉体側からは突出部
が突出することによる両者の位置関係によって遊技領域と同遊技領域の外側領域との間は
ストレートな空間ではなくなるため不正操作部材の通過が困難となる。  
【００１１】
このような構成とすることによって、扉体が遊技体に対して閉鎖された状態においてパ
チンコ球用受け皿への通路に孔を開けてワイヤのような不正操作器具をこの孔から侵入さ
せても、レール部材と突出部との協同作用によってこの間の空間が屈曲して通過しにくく
しなっているため不正操作器具はレール部材を越えて遊技領域に進出しにくくなる。  ま
た、突出部は扉体の開放に伴って扉体とともにレール部材と重複した位置から移動して離
間するため、遊技体側の点検のために扉体を開放した際に突出部が点検作業の邪魔になる
ことはない。
また、突出部は扉体の窓部位置に配置されている透明体ユニットに形成させるだけであ
るので新たに追加した部材を用意する必要もない。  
【００１２】
ここに、遊技体とはパチンコ遊技機の本体となるべきパネル部分を構成する。遊技面を
備える他にパチンコ球発射機構や遊技に関する各種制御機構やパチンコ球を貯留するタン
ク等をそなえており、狭義には一般にパチンコ遊技機で遊技機本体（本体枠）と呼称され
る構成部分が相当する。遊技体は複数のパネルの複合体であっても構わない。
パチンコ球用受け皿とは一般に上受け皿と下受け皿と呼称されるパチンコ遊技機の皿の
どちらをも含む概念である。一般にはより遊技面に近い上受け皿から不正操作は行われる
が下受け皿から行う場合も考慮したものである。また、上受け皿と下受け皿のいずれか一
方を有する機種を考慮したものでもある。  
【００１３】
板状の透明体とは遊技面に接触できないようにその前面を遮蔽して保護するとともに遊
技面の目視を可能とする素材であれば限定はされない。一般にガラスやプラスチックから
構成される。ガラスは強化ガラスや合わせガラスと使用することが好ましい。また、一枚
のみで構成しても複数枚数を前後方向に重複状に配置するようにしても構わない。
レール部材は遊技面を区画する機能を有すると同時にパチンコ球発射機構から発射され
るパチンコ球を上方に導く機能を兼ねる。前者は一般的なパチンコ遊技機ではいわゆる内
レールの機能であり、後者はいわゆる外レールの機能である。本発明における突出部と重
複するレール部材とはこの内レールが対応する。  
【００１４】
レール部材はその下方域において遊技体前面を横断して少なくとも遊技面の属する上方
領域を下方領域と概ね区画できるような形状であれば一般的な遊技面を包囲する円弧状の
形状に限定されるものではない。また、レール部材は完全に遊技面を包囲する必要はない
。従って、レール部材単独で遊技領域を区画しなくとも他の部材と協同して遊技領域が画
定されれば足る。レール部材の材質は一般的にパチンコ遊技機に使用されるものであれば
限定されることはない。  また、パチンコ球用受け皿は扉体と一体成形されていても、別
体に構成されていても構わない。また、パチンコ球用受け皿としたのは上受け皿と下受け
皿の両方ともを備えていないケースを念頭においたものである。  
【００１５】
また、上記の目的を達成するために発明３では発明１又は２の構成に加え、前記突出部
の隣接する位置とは、前記レール部材と重複する位置であることをその要旨とする。  こ
のように遊技体側からはレール部材を突出させ、扉体側からは突出部を突出させることに
よって両者を重複（交差しているともいえる）配置させて遊技領域と同遊技領域の外側領
域とを概ね遮断させることができる。
このような構成とすることによって、扉体が遊技体に対して閉鎖された状態においてパ
チンコ球用受け皿への通路に孔を開けてワイヤのような不正操作器具をこの孔から侵入さ
せても、レール部材と突出部との協同作用によってこの間の空間が遮蔽されることとなる
ため不正操作器具をレール部材を越えて遊技領域に進出させることが非常に困難となる。
【００１６】
また、上記の目的を達成するために発明４では発明３の構成に加え、前記突出部は前記
保持枠体の下部寄りに形成され前記レール部材の下方域と重複するようにしたことをその
要旨とする。
つまり、侵入しやすい下方領域を突出部とレール部材との協同によって閉鎖すれば不正
侵入防止にとって最も効果的であるためである。
レール部材の上方域は侵入路から遠いため、実質上レール部材の上方域から迂回して遊
技面に至るというケースが考えにくいためである。そして、保持枠体の全域ではなく、こ
のように最も侵入しやすい箇所にのみ集中して突出部を形成することで、経年使用によっ
て突出部や保持枠体にねじれ等の変形が生じたとしてもレール部材との関係で部材同士が
干渉して扉体が遊技体前面に装着されない等の不具合が生じにくくなる。  
【００１７】
また、上記の目的を達成するために発明５では発明３又は４の構成に加え、前記保持枠
体は前記透明体を外周から保持するとともに、同透明体を包囲する同保持枠体の周縁は前
記レール部材に略沿って延出され、前記突出部は同周縁に略沿って形成されているように
したことをその要旨とする。
この構成は、保持枠体が板状の透明体の周縁を囲み、その縁がレール部材に沿っている
ようなケースを念頭においたものである。これによって透明体を通して突出部がレール部
材に沿って延出されているのが不正行為者が外部から目視することができるため、不正行
為の抑止効果を期待できる。
尚、保持枠体は前記透明体を外周から保持できる形状であれば、その形状は円環状に限
定されるものではない。  
【００１８】
更に、突出部が保持枠体の透明体を囲む周縁に略沿って形成されており、その周縁はレ
ール部材の延出方向に略沿っているため、透明体を遊技面の面積に対応した大きな面積に
形成することができる。また、透明体を周縁で保持するため保持枠体内部に大きな開口部
が形成されることとなるが、このように突出部を周縁に略沿って形成することで強度の向
上を図ることが可能となる。  
【００１９】
また、上記の目的を達成するために発明６では発明５の構成に加え、前記突出部は前記
周縁に沿って連続的に形成されてるようにしたことをその要旨とする。  
【００２０】
このような構成とすることで、途中に隙間（切れ目）無く突出部があたかも帯のように
長く延出形成されることとなるため、不正行為者が切れ目を狙って不正操作器具を遊技面
に侵入させるということが不可能となる。特に、突出部は窓部からどのように配設されて
いるかを目視することも可能であるため、一部にでも切れ目があればそれを狙って不正操
作器具を侵入させる可能性が強い。このように突出部を連続的に形成することは不正行為
の抑止効果から好ましい。
また、このような構成は言い換えれば発明１〜５においては突出部を保持枠体から突出
形成させる際に部分的にのみ形成させてもよい（つまり一部に形成されていない箇所があ
ってもよい）ことの裏返しでもある。  
【００２１】
また、上記の目的を達成するために発明７では、発明１〜６のいずれかの構成に加え、
前記突出部は庇状に後方に張り出して形成するようにしたことをその要旨とする。  
【００２２】
これによって、レール部材と重複するために必要かつ十分な突出量のみを突出させるこ
とができ、保持枠体の遊技体前面に面した後方部分全体が不必要にレール部側に張り出す
ことがなくなるため、特にスペースに余裕のない透明体ユニット周辺のスペースの無駄を
なくすことができる。また、突出部がレール部と重複する場合にはレール部の周辺部材と
干渉しないように「逃げ」（つまり突出部が遊技体側に突出できるだけの余地）を形成す
る必要が生じる場合がある。その場合に、突出部が庇状であれば「逃げ」量は少なくてよ
いため、遊技体側に大きな設計変更が求められることもない。また、庇状に後方に張り出
したリブ構造は保持枠体の強度の向上に寄与する。  
【００２３】
また、上記の目的を達成するために発明８では、発明１〜７のいずれかの発明の構成に
加え、前記突出部の上部には前記扉体が前記遊技体に対して閉鎖された状態で前記レール
部材との間に介在される封塞部材が配設されることをその要旨とする。  
【００２４】
このような構成では、レール部材と突出部との間に封塞部材が介在されることとなるた
め隙間が更に小さくなることから、結果としてより不正行為が行いにくくなる。また、突
出部と封塞部材を接合することで突出部の強度の向上が図られる。  
【００２５】
また、上記の目的を達成するために発明９では、発明１〜７のいずれかの構成に加え、
前記レール部材の裏面には前記扉体が前記遊技体に対して閉鎖された状態で前記突出部と
の間に介在される封塞部材が配設されることをその要旨とする。
この構成は上記発明６における封塞部材を突出部側ではなくレール部材側に配設したも
のである。
このような構成では、封塞部材は遊技者から見えないので、封塞部材をかいくぐって不
正操作用具を遊技領域方向に進出させることが困難となる。  
【００２６】
また、上記の目的を達成するために発明１０では、発明１〜９の構成に加え、前記封塞
部材を可撓性材料から構成するようにしたことをその要旨とする。  
【００２７】
封塞部材を可撓性材料から構成することによって封塞部材は押圧に対して容易に変形可
能となる。そのため、レール部材と突出部との間の隙間が一定ではなく、例えば封塞部材
の一部のみがレール部材に干渉する場合でもそれは単に撓んでいるだけであるのでその部
分が食い込んで扉体の開放ができなくなるということがない。むしろ、密閉性の向上にも
寄与することとなる。
また、封塞部材を突出部の上部に配設する場合では封塞部材がしっかりと固定され、レ
ール部材に吊り下げる場合に比べて封塞部材が脱落する可能性は低くなる。
ここに可撓性材料から構成した封塞部材としては中空或いは中実のエラストマー製のパ
ッキン等が挙げられる。封塞部材は途中切れ間なく配設させることと装着作業の利便の点
から紐状体であることがより好ましい。  
【００２８】
また、上記の目的を達成するために発明１１では、発明１〜１０のいずれかの構成に加
え、前記扉体は左右いずれか一方に形成された上下に延びる開閉軸線を軸心として回動可
能とされ、前記突出部に縦成分がある場合に同扉体の開閉時に同突出部が前記レール部材
と干渉する可能性があれば、同レール部材との間隔を離間させて同突出部と同レール部材
との干渉を防止するようにしたことをその要旨とする。  
【００２９】
ここに、パチンコ遊技機の左右方向を横、上下方向を縦とする。例えば、図３２に示す
ように遊技面１６１を包囲するレール部材（ここでは内レール）１６２を考えた場合、Ｐ
付近ではレール部材１６２は水平に延出されているため縦成分はほとんどなく、Ｑ付近で
は斜めになっているので若干縦成分を含み、Ｒ付近では垂直に延出されているためほとん
ど縦成分のみである。
図３３に示すように、このようなレール部材１６２を有する遊技体１６３の前面に扉体
１６４が配設されているものとする。扉体１６４の背面には透明体ユニット１６５が配設
され、レール部材１６２の外方に突出部１６６が重複して配置されているものと仮定する
。  
【００３０】
このような状態で図３４に示すように扉体が左右いずれか一方に形成された上下に延び
る開閉軸１６７を軸心として開放された場合に、突出部の延出方向に縦成分があると開放
とともにレール部材１６２よりも開閉軸１６７側に存在する突出部１６６も開閉軸線を軸
心として回動しレール部材１６２方向に接近する挙動を示すこととなる。そして、図３４
（ａ）及び（ｂ）に示すように突出部１６６がレール部材１６２に近接しているとレール
部材１６２に干渉してしまう可能性が生じる。
そのため上記構成では、縦成分がある場合にはそれを考慮して干渉しない程度に突出部
とレール部材の間隔を離間させるようにしている。つまり扉体を開放しても突出部がレー
ル部材に干渉しないような構成としている。これによって、扉体のスムーズな開放が可能
となる。  
【００３１】
一般にパチンコ遊技機では図３２のようにレール部材（内レール）１６２は円弧状であ
るため、遊技面の下方領域つまり、最も侵入されやすいＰ位置では縦成分が少ないため突
出部とレール部材の間隔を大きく離間させる必要はない。一方、レール部材の左右寄り（
Ｒ位置）では縦成分が顕著であるため突出部とレール部材の間隔を離間させる必要がある
。しかし、突出部とレール部材の間隔を離間させると侵入しやすくはなるものの、左右寄
りはパチンコ球用受け皿の通路から比較的遠いため侵入されにくい位置であることからこ
のような構成であっても実際上問題は少ない。
ここに、縦成分が多いほどレール部材との間隔を離間させることが好ましく、その場合
に離間量は縦成分が多くなるにつれて徐々に増加させてもよく、段階的に一定領域につい
ては一定量だけ増加させるようにしてもよい。  
【００３２】
また、上記の目的を達成するために発明１２では、発明３〜１１のいずれかの構成に加
え、前記扉体は左右いずれか一方に形成された上下に延びる開閉軸線を軸心として回動可
能とされ、前記突出部に縦成分がある場合に同扉体の開閉時に同突出部が前記レール部材
と干渉する可能性があれば、同レール部材との重複量を減少させて同突出部と同レール部
材との干渉を防止するようにしたことをその要旨とする。  
【００３３】
発明１１と同様に突出部の延出方向に縦成分がある場合には図３４及び図３５に示すよ
うに突出部とレール部材の干渉の問題が生じる。そこで、縦成分がある場合には突出部と
レール部材との重複量を減少させるようにしたものである。これによって、扉体のスムー
ズな開放が可能となる。  
【００３４】
一般にパチンコ遊技機ではレール部材（内レール１６２）は図３２のように円弧状であ
るため、遊技面の下方領域つまり、最も侵入されやすいＰ位置では縦成分が少なくないた
め突出部とレール部材の重複量を減少させる必要はない。一方、レール部材の左右寄り（
Ｒ位置）では縦成分が顕著であるため突出部とレール部材との重複量を減少させる必要が
ある。しかし、突出部とレール部材と重複量を減少させると侵入しやすくはなるものの、
左右寄りはパチンコ球用受け皿の通路から比較的遠いため侵入されにくい位置であること
からこのような構成であっても実際上問題は少ない。また、パチンコ遊技機の左右寄りは
スペース的な余裕がないため、発明１１のように突出部とレール部材の間隔を離間させる
ことが設計上困難な場合があるが、このように重複量を減少させるならばそのような問題
は生じない。
ここに、縦成分が多いほどレール部材との重複量を減少させるようにすることが好まし
く、その場合に重複量は縦成分が多くなるにつれて徐々に減少させてもよく、段階的に一
定領域については一定量だけ減少させるようにしてもよい。また、もっとも縦成分の大き
な位置ではレール部材との重複量を０としても構わない。
【発明の効果】
【００３５】
上記各発明では、不正行為者がパチンコ球用受け皿への通路に孔を開けてワイヤのよう
な不正操作器具をこの孔から侵入させたとしても、遊技体側のレール部材と、扉体側に形
成された突出部との位置関係によって不正操作器具をレール部材を越えて遊技領域方向に
進出させることが困難となるため、遊技面への不正なアクセスを確実に防止することが可
能となる。
【図面の簡単な説明】
【００３６】
【図１】本発明を応用した実施の形態のパチンコ遊技機の正面図。
【図２】同じパチンコ遊技機の側面図。
【図３】同じパチンコ遊技機の扉枠を開放した状態の平面図。
【図４】同じパチンコ遊技機の分解斜視図。
【図５】同じパチンコ遊技機において扉枠と遊技盤を除いた状態の正面図。
【図６】同じパチンコ遊技機において扉枠を除いた状態の正面図。
【図７】図６において扉枠側のガラスフレームとの重複関係を説明する説明図。
【図８】同じパチンコ遊技機の扉枠の背面図。
【図９】図８の背面図からガラスユニットを取り外した状態の背面図。
【図１０】ガラスフレームの背面図。
【図１１】ガラスユニットの正面図。
【図１２】図１０のＥ−Ｅ線における断面図。
【図１３】図１０のＦ−Ｆ線における一部省略断面。
【図１４】ガラスフレームの背面からの斜視図。
【図１５】図１２のＲ３に包囲された部分の拡大図。
【図１６】図１１のＧ−Ｇ線における断面図。
【図１７】（ａ）は前面側、（ｂ）は後面側のガラス板の正面図。
【図１８】ガラスフレームをクランプレバーによって固定する状態を説明する部分拡大側面図であって（ａ）は固定前、（ｂ）は固定状態。。
【図１９】ガラスフレームをクランプレバーによって固定する状態を説明する部分拡大背面図。
【図２０】ガラスフレームをクランプユニットによって固定する状態を説明する部分拡大側面図であって（ａ）は固定前、（ｂ）は固定状態。
【図２１】図７のＡ−Ａ線における図６及び図７を合成した図面の断面図。
【図２２】図７のＢ−Ｂ線における図６及び図７を合成した図面の断面図。
【図２３】図７のＣ−Ｃ線における図６及び図７を合成した図面の断面図。
【図２４】図７のＤ−Ｄ線における図６及び図７を合成した図面の断面図。
【図２５】他の実施の形態における図１０のＥ−Ｅ線と等価の断面図。
【図２６】（ａ）及び（ｂ）は他の実施の形態における庇部とレールとの位置関係を説明する説明図（断面図）。
【図２７】他の実施の形態における庇部とレールとの位置関係を説明する説明図（断面図）。
【図２８】他の実施の形態における庇部とレールとの位置関係を説明する説明図（断面図）。
【図２９】紐部材の断面形状を変形させた他の実施の形態の庇部とレールとの位置関係を説明する説明図（断面図）。
【図３０】従来のパチンコ遊技機における不正操作行為を説明する説明図。
【図３１】従来のパチンコ遊技機における不正操作行為を説明する説明図。
【図３２】本発明において縦成分とはパチンコ遊技機の垂直方向の長さであることを説明する説明図。
【図３３】本発明において扉体を開放する際の突出部とレール部の関係を説明する説明図。
【図３４】図３３のＲ４に包囲された部分の拡大図。
【図３５】図３４において扉体を開放して突出部がレール部に干渉した状態を説明する説明図。
【発明を実施するための形態】
【００３７】
以下、本発明の各実施の形態について図面に基づいて説明する。
図１〜図６に示すように、パチンコ遊技機１１は支持枠体としての外枠１２を備えてい
る。外枠１２は、遊技ホールへの設置の際にいわゆる島設備に取り付けられる。外枠１２
は上下左右の各枠板１２ａ〜１２ｄによって四角形に枠組みされた木製の枠体とされてい
る。下部枠板１２ｄ上面には幕板１３が配設されている。
外枠１２内には本体枠１４が装着されている。遊技体の一部をなす本体枠１４はパチン
コ遊技機の構造的な中核を形成するパネル状の構成部材であって、外枠１２内において幕
板１３上に配置されている。図４及び図５に示すように、本体枠１４は正面視において略
長方形の外郭を備えたＡＢＳ製のパネルとされている。本体枠１４は正面から見て左方寄
りにおいて上下に配設された開閉金具１５の開閉軸線Ｐ（図４参照）を軸心として外枠１
２に対して前方側に開放可能とされている。  
【００３８】
図５及び図６に示すように、本体枠１４の下部領域には本体枠側機構部１６が形成され
ている。本体枠側機構部１６を正面から見て右方にはパチンコ球発射ユニット１７が配設
されている。パチンコ球発射ユニット１７はソレノイド等から構成された発射部１８と、
発射部１８にパチンコ球を順に送出する送球部１９及び補助レール２０から構成されてい
る。本体枠側機構部１６の正面から見て左方には上部パチンコ球流入路２１と下部パチン
コ球流入路２２がそれぞれ配設されている。両パチンコ球流入路２１，２２間にはバイパ
ス通路２３が形成されている。下部パチンコ球流入路２２の上方にはファール球通路２４
が形成されている。バイパス通路２３及びファール球通路２４はユニット化されている。
本体枠側機構部１６の裏面側にはすべての遊技球を回収して一旦機外に放出させるための
遊球回収通路２６が形成されている（図４参照）。  
【００３９】
本体枠側機構部１６の上方には遊技盤取り付けスペース２５が形成され、遊技盤２７が
同スペース２５内に配設されている。同スペース２５は遊技盤２７が載置される棚部２８
（図４参照）と、略楕円形状に切り欠き形成された窓孔２９を有している。窓孔２９の周
囲は棚部２８に載置された遊技盤２７の前面周縁が当接する前板部３０とされている。図
４に示すように、木製の遊技盤２７の外郭は略正方形形状とされ、棚部２８に載置された
状態で図示しない係止手段によって前板部３０に対して圧着固定される。図６に示すよう
に、遊技盤２７は同スペース２５に配設された状態で前面に形成された遊技面２７ａが窓
孔２９から前方に露出される。窓孔２９を包囲する壁面３１の一部は後述する遊技領域の
一部を画定する。  
【００４０】
遊技体の一部をなす遊技盤２７には遊技面２７ａから裏面に貫通する大小複数の開口部
が形成され、各開口部にはそれぞれ目的に応じた各種装飾パネルが併設されている。遊技
盤２７の略中央には可変表示ユニット３５が配設されている。可変表示ユニット３５は大
型の液晶ディスプレイ３６を備えている。図４に示すように可変表示ユニット３５は遊技
盤２７背面に配置される表示制御装置３７を備えている。可変表示ユニット３５の直下に
は始動口３８が配置されており、さらにその下方にいわゆる大入賞口と呼称される可変入
賞装置３９が配置されている。可変表示ユニット３５の左右両側にスルーゲート４０が配
置され、始動口３８の左右両側方向には一般入賞口４１がそれぞれ複数配置されている。
遊技盤２７の最下部位置にはアウト口４２が設けられており、各種入賞口等に入らなかっ
た遊技球はアウト口４２を通って図示しない球排出路の方へと案内されるようになってい
る。遊技盤２７の表面には、遊技球の落下方向を適宜分散、調整等するために多数の遊技
釘が植設されている。また、風車４３等の各種部材（役物）が配設されている。  
【００４１】
遊技盤２７の遊技面２７ａ上には、外レール５１とレール部材としての内レール５２が
装着されている。遊技盤２７が本体枠１４の遊技盤取り付けスペース２５に配設された状
態で両レール５１，５２及び前記本体枠１４側の窓孔２９を包囲する壁面３１の一部によ
って遊技面２７ａに遊技領域が画定されている。
図６に示すように、外レール５１は前記パチンコ球発射ユニット１７の補助レール２０
の正面から見て左斜め上方であって、同補助レール２０の延長方向にファール球通路２４
上方の空間を隔てた位置にその基端が配置されている。外レール５１は基端から時計回り
方向に円弧状に上方に延出され遊技面２７ａの頂点から若干進んだ位置（遊技面２７ａを
時計のダイヤルと見立てた場合の略２時方向位置）にその先端が配置されている。  
【００４２】
内レール５２は遊技面２７ａを時計のダイヤルと見立てた場合の略４時方向に基端が配
置されている。内レール５２は基端から時計回り方向に円弧状に下方に延出され、前記ア
ウト口４２前面を略水平に横切った後、外レール５１の内周側を上方に向かって延出され
、遊技面２７ａの頂点の手前位置（遊技面２７ａを時計のダイヤルと見立てた場合の略１
０時方向位置）にその先端が配置されている。内レール５２の先端には遊技面２７ａに打
ち出された遊技球（パチンコ球）の逆進を防止するための片持ちの舌片が形成された逆進
防止部材５５が装着されている。円弧状の内レール５２の最下方位置はアウト口４２と交
差する位置とされている。両レール５１，５２は正面から見てアウト口４２の左方位置か
ら逆進防止部材５５位置（つまり内レール５２の先端）にかけて隣接して配置されパチン
コ球発射通路４９が形成されている。  
【００４３】
外レール５１及び内レール５２は帯状の同幅に形成されたステンレス製薄板条体から構
成されている。図６に示すように、両レール５１，５２の一側には適度な間隔を開けて釘
５３が突設されている。両レール５１，５２は遊技面２７ａ側縁部に対して釘５３を食い
込ませて固定されている。両レール５１，５２は遊技面２７ａに対して前方に向かって略
垂直に立設されている。本実施の形態では両レール５１，５２の幅は１６．５ｍｍとされ
ている。
外レール５１の先端と内レール５２の基端との間には両レール５１，５２は配設されて
おらず、窓孔２９の内周壁５６によって遊技領域が画定されている。内側壁５６は両レー
ル５１，５２の曲率に略応答した曲率で弧状の壁面として構成されている。  
【００４４】
遊技球（パチンコ球）はパチンコ球発射ユニット１７によって打ち出されると補助レー
ル２０を滑走した後、外レール５１に乗り移り外レール５１を更に滑走しながら外レール
５１と内レール５２との間のパチンコ球発射通路４９を上方に向かって進み遊技面２７ａ
に飛び出す。この時、パチンコ球発射ユニット１７による打ち出し力が弱く補助レール２
０から外レール５１に乗り移ることができなかったり、外レール５１に乗り移っても遊技
領域まで至らなかったパチンコ球は落下してファール球通路２４に導かれる。
遊技領域に放出された遊技球は落下しながら遊技釘、装飾パネルあるいは各種役物等と
干渉して弾かれながら降下し、途中始動口３８、可変入賞装置３９及び一般入賞口４１に
入賞する球以外はすべて内レール５２上に落下し、同内レール５２を伝わって最下部位置
のアウト口４２に導かれる。入賞した入賞球、アウト口４２に導かれたアウト球は遊技盤
２７背面の遊技球回収通路２６に集合し、機外に一旦放出される。  
【００４５】
本体枠１４の前面には扉体としての扉枠６１が配設されている。図１、図２、図８及び
図９に示すように、扉枠６１は本体枠１４の正面から見た外郭と略一致した長方形形状の
外郭の正面形状を有している。扉枠６１は本体枠１４に対して開閉可能に取り付けられて
いる。扉枠６１は本体枠１４と同様前記開閉金具１５の開閉軸線Ｐと同軸に取り付けられ
た開閉金具５４を軸心として前方側に開放可能とされている。そのため、本体枠１４は外
枠１２に対して開閉可能とされるとともに、扉枠１７は外枠１２と本体枠１４のそれぞれ
に対して独立して開閉可能とされている。扉枠６１はＡＢＳ樹脂製のパネル体であって、
内部に縦横に配設された図示しない合金製の補強リブによって補強されている。  
【００４６】
図１、図８及び図９に示すように、扉枠６１には遊技者が遊技面２７ａを目視するため
の窓部としての目視用窓孔６２が形成されている。目視用窓孔６２は略楕円形状に形成さ
れ、扉枠６１が本体枠１４に対して閉鎖された状態で同本体枠１４側の窓孔２９と対峙す
る。図９に示すように、扉枠６１の裏面側であって目視用窓孔６２の周囲には後述するガ
ラスユニット７５の位置決め用の取り付けスペース５７が形成されている。取り付けスペ
ース５７の周囲には所定の位置（本実施の形態では３箇所）にガラスユニット７５固定用
のクランプレバー５８が配設されている。クランプレバー５８周辺の構造については後述
する。扉枠６１の裏面側であって目視用窓孔６２の上部には横長の収容部５９が形成され
ている。収容部５９内にはクランプユニット６０が吊り下げ支持されている。収容部５９
及びクランプユニット６０周辺の構造については後述する。  
【００４７】
扉枠６１の前面側であって、目視用窓孔６２の左右及び上方には前方に膨出した装飾用
パネル６３が配設されている。装飾用パネル６３内にはスピーカ装置６５（図８及び図９
参照）や図示しない装飾ランプが配設されている。目視用窓孔６２の下方位置には、前側
へ膨出した第１の膨出部６６が設けられ、その第１の膨出部６６内側が上受け皿６７とさ
れている。上受け皿６７は後述する払出装置より払い出された遊技球を一旦貯留し、一列
に整列させながらパチンコ球発射ユニット１７に導くための球貯留部である。上受け皿６
７内部の上流位置には裏面に連通する通路６８が形成されている（図８及び図９参照）。
同通路６８は前記本体枠１４側の上部パチンコ球流入路２１と接続され後述する遊技球供
給装置１２１から供給されるパチンコ球を上受け皿６７に導入させる。  
【００４８】
第１の膨出部６６の下方位置には、前側へ膨出した第２の膨出部７０が設けられ、その
第２の膨出部７０内側が下受け皿７１とされている。下受け皿７１はバイパス通路２３及
びファール球通路２４から流下するパチンコ球を貯留したり、遊技者の能動的な操作に基
づいて上受け皿６７から流下させたパチンコ球を貯留するための補助的な球貯留部である
。
装飾用パネル６３、第１の膨出部６６及び第２の膨出部７０は全体としてデザイン的な
統一が図られている。
正面から見て下受け皿７１の左方には灰皿７２が配設されている。下受け皿７１の右方
にはパチンコ球発射ユニット１７と連動する遊技球打ち出し用ハンドル７３が前方に突出
形成されている。  
【００４９】
図８に示すように、扉枠６１の裏面には透明体ユニットとしてのガラスユニット７５が
配設されている。ガラスユニット７５は扉枠６１に形成された前記取り付けスペース５７
内に配置されている。図１０〜図２０に基づいてガラスユニット７５について説明する。
ガラスユニット７５は、モールド成形によって一体的に製造されたＡＢＳ樹脂製のガラ
スフレーム７６を備えている。ガラスフレーム７６には前後二枚のガラス板７７，７８が
所定間隔を開けて平行に装着されている。本実施の形態では、ガラスフレーム７６が保持
枠体に相当し、ガラス板７７，７８が透明板に相当する。
ガラスフレーム７６は楕円環状の外形形状を有し、細枠部７９と細枠部７９の一部が外
方に拡張された膨出部８０とから基本形状が構成されている。
細枠部７９は周方向に延出された平板部８１と平板部８１内周において径方向に突起し
た凸条８２を備えている。凸条８２はガラスフレーム７６の全周に渡って延出され、同凸
条８２に包囲された内周は楕円形状をなしている。図１５に示すように、ガラスフレーム
７６には平板部８１の凸条８２によって分割された内周面８１ａ，８１ｂと凸条８２の両
側面８２ａ，８２ｂとによって前後にガラス板支持部８３ａ，８３ｂ構成されている。  
図１５に示すように、平板部８１の前面８１Ａと後面８１Ｂとの間がガラスフレーム７
６の厚みＬとされている。  
【００５０】
膨出部８０はガラスフレーム７６の扉枠６１への装着状態で正面からみて細枠部７９の
左斜め下方向の側部（背面からの目視となる図８では右斜め下方向の側部）から外方に向
かって膨出状に形成されている。膨出部８０の厚み（幅）は細枠部７９の平板部８１と同
幅に形成されている。つまり膨出部８０も平板部８１の前面８１Ａ及び後面８１Ｂとによ
って画定される厚みＬに構成されている。
膨出部８０は頂点が丸く面取りされた略二等辺三角形の外形形状とされている。膨出部
８０の表面側（図１１で示される面）には凹部８４が形成されている。図１１及び図１６
に示すように、凹部８４内においてリブ８５で区画された収容領域Ｓには乾燥剤８６が収
容されている。図１０に示すように、膨出部８０の表面側においては細枠部７９から膨出
部８０方向に延設された平板部８１は膨出部８０の外郭に沿って凹部８４を包囲するよう
に配置されている。また、膨出部８０の表面側においては凸条８２の側面８２ａは細枠部
７９から膨出部８０方向に延設され平板部８１に沿って凹部８４を包囲するように配置さ
れている。
一方、膨出部８０の脊面側（図１０で示される面）では平板部８１及び凸条８２の側面
８２ｂは膨出部８０方向に延設されず楕円環状を構成する。  
【００５１】
ガラスフレーム７６には扉枠６１への装着状態で正面からみて（図１１の状態）左側上
部位置に上部ブラケット８８が形成されている。上部ブラケット８８先端には下方に向か
って突起した回動軸８９が形成されている。膨出部８０の外方には下部ブラケット９０が
形成されている。下部ブラケット９０先端には下方に向かって突起した回動軸９１が形成
されている。両回動軸８９，９１の軸心は同一直線上に存在する。
ガラスフレーム７６の上部ブラケット８８と膨出部８０の間には側部耳板部９３が張り
出し形成されている。膨出部８０の下方位置には下部耳板部９４が外方に向かって張り出
し形成されている。  
【００５２】
図１０に示すように、上部ブラケット８８、膨出部８０、側部耳板部９３及び下部耳板
部９４はそれぞれ隣接する部分と一体的に連結されガラスフレーム７６裏面の側方位置に
ガラスフレーム７６の湾曲に沿った、つまり内レール５２の湾曲に略沿った平板状の封塞
板部９２を形成する。封塞板部９２の裏面は平板部８１の後面８１Ｂと同一平面上にある
。
細枠部７９の上部には左右一対のフック９５が形成されている。ガラスフレーム７６の
扉枠６１への装着状態で正面からみて右側の上下寄りには位置決め用の位置決め板９６が
併設された２つの押さえ板９７が外方に向かって張り出し形成されている。細枠部７９の
下部には押さえ板９８が外方に向かって張り出し形成されている。これらフック９５及び
押さえ板９７，９８も平板部８１の厚み内に収まっている。  
【００５３】
図１０、図１２〜図１５に示すように、ガラスフレーム７６において平板部８１の後面
８１Ｂから後方に向かって突出部としての庇部９９が突設されている。図１２、図１７等
に示すように、庇部９９の内周面（図１０において上方）は平板部８１の内周面８１ｂと
面一とされ、膨出部８０から下部側の押さえ板９７の間にかけて配設されている。図１１
及び図１２に示すように、庇部９９は左右両サイド寄りを除いて同幅（本実施の形態では
５ｍｍ）に形成され、左右両サイド寄りでは面取りされて端方向ほど突出量が少なくなる
ように先細りとされたテーパ部９９ａが形成されている。特にパチンコ球発射通路４９に
面したテーパ部９９ａではこのように先細りに構成した結果、一旦打ち出した遊技球が遊
技面２７ａに達せずパチンコ球発射通路４９を落下してくる場合であってもパチンコ球は
テーパ部９９ａと接触するだけで庇部９９に強く衝突することがないため庇部９９が割れ
たりひびが入ったりする不具合が生じることがなく、当接に伴う異音が発生することもな
い。
平板部８１の後面８１Ｂは庇部９９を除いてガラスフレーム７６の裏面側における本体
枠１４への最接近位置とされ、図１２〜図１４に示すように、平板部８１の裏面側端面、
上部ブラケット８８の裏面、膨出部８０の裏面、側部耳板部９３の裏面及び下部耳板部９
４の裏面の各面はそれぞれ平板部８１の後面８１Ｂと同一平面上に存在する。つまり、
ガラスフレーム７６は庇部９９以外に後面８１Ｂが属する平面Ｆ（図１２及び図１３参照
）よりも後方側に突出することはない。  
【００５４】
図１７に示すように、前記ガラス板７７，７８はそれぞれ装着されるガラスフレーム７
６のガラス板支持部８３ａ，８３ｂの形状（平板部８１の内周面８１ａ，８１ｂ形状と考
えてもよい）に対応した外形形状を備えている。前面側ガラス板７７は膨出部８０に対応
して異形に構成され、後面側ガラス板７８は楕円形状に構成されている。本実施の形態で
は前面側ガラス板７７は強化ガラス製とされ厚みは３．２ｍｍとされている。また、後面
側ガラス板７８は間にフィルムを介在させた二枚合わせの合わせガラス製とされ厚みは４
．２ｍｍとされている。  
【００５５】
ガラス板７７，７８はガラスフレーム７６に対して凸条８２を挟んでそれぞれガラス板
支持部８３ａ，８３ｂに嵌合されている。両ガラス板７７，７８によって挟持された内部
空間は密閉状態で、かつ上記乾燥剤８６によって乾燥状態に保持されている。
図１５に示すように、両ガラス板７７，７８は外周縁を平板部８１の内周面８１ａ，８
１ｂに当接させた状態で接着剤としてのグルー剤（図示せず）によって凸条８２の両面８
２ａに対して貼着されている。図２１〜図２４に図示されるようにガラス板７７，７８の
外表面位置はそれぞれ平板部８１の前後面８１Ａ，８１Ｂと面一ではなくわずかに前後面
８１Ａ，８１Ｂより内方に後退した位置（約１ｍｍ程度の後退量）とされている。  
【００５６】
図８及び図９に示すように、ガラスユニット７５の前記回動軸８９，９１は扉枠６１の
裏面に配設された上下の軸受け金具１００に軸支されている。ガラスユニット７５は回動
軸８９，９１を軸心として扉枠６１に対して後方側に開放可能とされている。ガラスユニ
ット７５は扉枠６１の裏面に対して密着させられた状態で前記フック９５及び押さえ板９
７，９８において固定部材によって固定されている。図１８〜図２０に基づいて２点鎖線
で包囲された領域Ｒ１及び領域Ｒ２における固定状態について説明する。  
【００５７】
まず、領域Ｒ１について説明する。図８、図９及び図２０に示すように、収容部５９内
にはクランプユニット６０が吊り下げ支持されている。本実施の形態ではクランプユニッ
ト６０の基本的な構造のみを説明する。クランプユニット６０のケース１０５内中央には
レバー１０６が回動軸１０４によって回動可能に軸支されている。ケース１０５内におい
てレバー１０６を挟んだ左右位置であって、かつ前後方向にずれた位置にクランプピン１
０７，１０８がそれぞれ配設されている。両クランプピン１０７，１０８は同形状に構成
された部材をそれぞれ左右方向に先端が向くように逆向きに対向配置したものであって、
両クランプピン１０７，１０８の基部寄りはレバー１０６の回動軸１０４を挟んで対向す
る部位に軸支されている。その結果、両クランプピン１０７，１０８とレバー１０６との
間にリンク機構が形成される。両クランプピン１０７，１０８はレバー１０６の回動に伴
って長孔１１０に案内されてケース１０５を左右にスライド移動する。  
【００５８】
レバー１０６が図２０（ａ）に示す前方へ突出した位置にある場合には両クランプピン
１０７，１０８はケース１０５内に退避されている。そして、レバー１０６を図２０（ｂ
）のケース１０５の厚み内に収容される位置に回動させることで両クランプピン１０７，
１０８はそれぞれ先端がケース１０５から左右方向に突出する。
このような構成において、図２０（ａ）に示すような両クランプピン１０７，１０８を
ケース１０５内に退避させた状態、つまり両クランプピン１０７，１０８がフック９５と
干渉しない状態でフック９５を収容部５９内に収容させる。つまり、クランプユニット６
０のケース１０５が左右のフック９５間に配置されることとなる。そして、図２０（ｂ）
に示すようにレバー１０６を回動させることで両クランプピン１０７，１０８をケース１
０５から突出させ左右のフック９５の前方位置まで進出させる。これによって、フック９
５は両クランプピン１０７，１０８によって押さえられ扉枠６１側に固定されることとな
る（図８の状態）。  
【００５９】
次に領域Ｒ２について説明する。尚、本実施の形態ではクランプレバー５８は３箇所に
配設されているが、説明の重複を避けるため詳しい説明は領域Ｒ２で代表させることとす
る。
ガラスユニット７５は前記取り付けスペース５７内に配置されている。図１９に示す
ように、位置決め板９６に形成された位置決め孔１１０内には扉枠６１裏面に形成された
位置決めピン１１１が配置されている。クランプレバー５８は回動軸１１２と押圧アーム
１１３を備えている。クランプレバー５８の押圧アーム１１３は図８に示す使用時におい
て図１８（ｂ）及び図２０の実線で示す位置で押さえ板９７を固定している。
一方、扉枠６１裏面上のクランプレバー５８に隣接する位置にはストッパ１１５及び押
圧丘１１６が形成されている。押圧丘１１６はなだらかに湾曲した丘状の突起体であって
、押圧アーム１１３の裏面と干渉してクランプレバー５８の遊動を防止する。従って、ク
ランプレバー５８は非使用時には押圧アーム１１３がストッパ１１５に当接するとともに
押圧丘１１６に保持されて図１８（ａ）及び図２０の仮想線で示す位置で保持される。  
【００６０】
図２、図３及び図４に示すように、本体枠１４（遊技盤２７）の背面には各種制御装置
が重複状に配置されている。制御装置は大きく３つにユニット化されており、タンク１２
０や遊技球を供給するための遊技球供給装置１２１、保護カバー１２３等を備えた第１ユ
ニット１２４、主制御装置や音声ランプ制御装置を備えた第２ユニット１２５、払出制御
装置、発射制御装置及び電源装置を備えた第３ユニット１２６から構成されている。  
【００６１】
次に、このように構成されたパチンコ遊技機１１において、扉枠６１の裏面に配設され
たガラスユニット７５と本体枠１４側の遊技盤２７との関係について主として図６、図７
及び図２１〜図２４に基づいて説明する。図７は図６を補填する図であって、本体枠１４
側について遊技面２７ａ以外の部分を省略し、ガラスフレーム７６について膨出部８０に
おける凹部８４の構造を省略して重ね合わせたものである。パチンコ遊技機１１では前後
方向に重複する部材の相互の部材の線図が交錯して分かりにくくなるため、単一の図面で
部材の重複状態を図示するのは困難である。そのため、本発明の要部以外の従属的な部材
について省略して図７を表したものである。  
【００６２】
図６及び図７に示すように、本体枠１４に対して扉枠６１を閉鎖した状態においては、
ガラスフレーム７６の凸条８２によって包囲された内側領域は略遊技領域と略一致する。
このとき、本実施の形態ではガラスフレーム７６（平板部８１）の後面８１Ｂと遊技面２
７ａとの間隔は１９．５ｍｍに設定され、同じく後面８１Ｂと内レール５２前端との間隔
は３ｍｍに設定されている。このようなガラスフレーム７６と遊技面２７ａとの間隔はパ
チンコ球の大きさや遊技面２７ａに配置された各種部材（液晶ディスプレイ３６や風車４
３等）の突出量や遊技釘の突出量を考慮して設定されたものである。これによって遊技面
２７ａに前面は遊技面２７ａに接触することなく、扉枠６１背面に配設されたガラスユニ
ット７５が配置されることとなり、なおかつ遊技領域を落下してくる遊技球（パチンコ球
）が内レール５２とガラスユニット７５との隙間から本体枠１４と扉枠６１の間にこぼれ
落ちてしまうこともない。
また、本体枠１４に対して扉枠６１を閉鎖した状態においては、図７に示すように、封
塞板部９２は外レール５１と内レール５２の間に形成されるパチンコ球発射通路４９を概
ね封塞するようにその前面に配置される。つまり、パチンコ球発射通路４９は前方側が封
塞板部９２によって封塞され、後面側ガラス板７８が面することがないので、パチンコ球
発射通路４９を通過するパチンコ球が後面側ガラス板７８に当接してガラス面に傷がつい
たり割れたりするといった不具合が生じることはない。  
【００６３】
図７に示すように、凸条８２によって画定されるガラスフレーム７６の内周は内レール
５２近傍であって内レール５２の下側（広義には外側）に配置されている。上記のように
ガラスフレーム７６の後面８１Ｂと内レール５２前端との間隔は３ｍｍとされているが、
後面８１Ｂから後方に最長５ｍｍの庇部９９が突出されているため、図２２〜図２４に示
すように、内レール５２と庇部９９とは重複配置されることとなる。図７における、内レ
ール５２の最下部位置となるＡ−Ａ位置においては庇部９９は後面８１Ｂから後方に５ｍ
ｍ突出するため、図２１に示すように内レール５２前端と２ｍｍの重複となる。また、Ａ
−Ａ位置から若干左右方向に振った位置、例えばＢ−Ｂ位置でも庇部９９は後面８１Ｂか
ら後方に５ｍｍ突出するため、図２２に示すように内レール５２前端と２ｍｍの重複とな
る。  
【００６４】
しかし、最下部位置から離間して内レール５２に縦成分が増えてくる位置（ここでは湾
曲した内レール５２の両サイド寄り）では扉枠６１開放時に内レール５２と庇部９９の干
渉を防止する必要がある。本実施の形態では例えば図１２等に示すように庇部９９は縦成
分が大きくなるにつれて左右両サイド寄りでは端方向ほど突出量が少なくなるよう先細り
に構成されている。従って、例えばＣ−Ｃ位置では図２３に示すように内レール５２前端
との重複量は上記位置よりも少なくなっている（ここでは半分程度）。
このように庇部９９は内レール５２の下部の比較的広い範囲において内レール５２の下
側に重複配置されることとなる。
また、受け皿６７裏面の通路６８から比較的離間したＤ−Ｄ位置には内レール５２は配
置されていない。但し、この位置では遊技領域を画定する窓孔２９の一部壁面３１が若干
遊技領域側にオフセットしており、図２４に示すようにガラスフレーム７６が前板部３０
と重複されている。  
【００６５】
以上のように構成することによって上記実施の形態では次のような効果を奏する。（１
）もし、ガラスフレーム７６に庇部９９が形成されていなければ、ガラスフレーム７６と
内レール５２前端との間には隙間が形成されることとなり、不正を試みる者は図７に示す
ように通路６８の壁面裏面に連通する透孔を形成して、ワイヤのような細長い道具を差し
入れてこの隙間からワイヤを遊技面２７ａに導くことが可能である。
しかし、本実施の形態では本体枠１４に扉枠６１を閉鎖させた状態では内レール５２に
対して庇部９９は同内レール５２の下部位置に重複状に配置されることとなるため、ワイ
ヤを差し入れようとしてもこれらの重複関係によって隙間が遮蔽されるため、ワイヤを遊
技面２７ａに導くことが困難になる。また、例え導くことが可能であっても操作に非常に
時間がかかる傾向となるため抑止効果が大きい。結果として、遊技釘の間隔を拡げるよう
な不正行為が行いにくくなる。  
【００６６】
（２）庇部９９は内レール５２の下側位置で重複しているため、遊技領域に何らの構造上
の変化はなく、遊技者は庇部９９の有無によって遊技内容に影響を受けることはない。  
また、庇部９９は扉枠６１の開放に伴って扉枠６１とともに内レール５２と重複した位
置から移動して離間するため、本体枠１４側の点検のために扉枠６１を開放した際に庇部
９９が点検作業の邪魔になることはない。  
【００６７】
（３）上記実施の形態ではガラスフレーム７６の下側位置に庇部９９を形成している。も
ちろん理論的には上記実施の形態よりも広範囲に、つまりガラスフレーム７６の上部方向
にも庇部９９を形成することは可能である。しかし、あまり広範囲に庇部９９を形成する
とガラスフレーム７６に経年使用や熱によってねじれのような変形を生じた場合、庇部９
９が内レール５２と干渉してしまう可能性もある。しかし、本実施の形態では必要最小限
の範囲で庇部９９を形成しているためそのような不具合は生じにくい。  
【００６８】
（４）従来から扉枠６１の裏面に配設されているガラスフレーム７６に庇部９９を形成し
たため、不正防止のために追加した部材を敢えて扉枠６１と本体枠１４の間に配置させる
ものではないので、大きな設計変更はなく、組立・点検時において余分の部材を配設した
ことによる作業の遅延が生じることもない。  
【００６９】
（５）ガラスフレーム７６は中央に大きな開口部を有し、細枠部７９のような細い部材を
有することからねじれ等で比較的変形しやすい構造である。しかし庇部９９を形成するこ
とによって、強度が向上することとなる。  
【００７０】
（６）庇部９９はガラスフレーム７６の後面８１Ｂから後方に張り出すように突出するが
、それほどの厚みを有していないので、突出方向に配置される遊技盤２７側の部材と干渉
しにくく、また、庇部９９と干渉しないように遊技盤２７側側に「逃げ」を設定する場合
も大きな設計変更を必要とすることがない。  
【００７１】
（７）庇部９９はガラスフレーム７６の湾曲に沿ってガラス板７７，７８にごく近い位置
に形成されているため、扉枠６１前方から遊技中に遊技者がガラス板７７，７８を通して
庇部９９を目視することが可能である。つまり、不正防止措置が施されていることが外部
から見えるため潜在的にワイヤのような細長い道具を使用した不正を防止する抑止効果を
期待できる。  
【００７２】
（８）内レール５２は円弧状に形成されているため、左右両サイド寄りでは縦成分が発生
する。その際に庇部９９が後方にあまり長く突出していると扉枠６１の回動に伴って一緒
に回動し、庇部９９が内レール５２と干渉して扉枠６１を開放できない可能性が生じる。
しかし、本実施の形態では庇部９９は縦成分が大きくなる左右両サイド寄りでは縦成分
の増大に伴って突出量を減少させているため、扉枠６１の開放に伴う部材干渉が生じない
ようになっている。  
【００７３】
本発明は以下のような態様に変更して実施することが可能である。
・図２５に示すように、庇部９９の上面にシリコーンゴム製の封塞部材としての紐部材
１２１を固着してもよい。紐部材１２１は可撓性のある断面円形の中実体であって、庇部
９９の長手方向全長に渡って後面側ガラス板７８に接して配設されている。
このような紐部材１２１を配設すれば上記の実施の形態の効果に加えて以下のような効
果が奏される。（１）内レール５２と庇部９９との間がより狭まり、不正操作器具の挿入
が更に困難となる。（２）庇部９９の根本に紐部材１２１を固着することで庇部９９自体
の強度の向上が図られる。（３）紐部材１２１は可撓性があるため押圧に対して容易に変
形可能となる。そのため、内レール５２と庇部９９との間に多少の広狭があって部分的に
紐部材１２１が内レール５２に当接しても変形するため、紐部材１２１が干渉することに
よって扉枠６１が本体枠１４に閉鎖されなくなってしまうという不具合が生じにくい。ま
た、紐部材１２１を内レール５２に積極的に当接させることで、むしろこの間の密閉性の
向上にも寄与することとなる。
尚、紐部材の断面形状は方形でも構わない。また、方形であると取り付け面が平面であ
るので取り付けやすくなる。また、シリコーンゴム製以外のスポンジのような弾性かつ可
撓性部材を使用することも可能である。  
【００７４】
・図２６（ａ）及び（ｂ）に示すように、紐部材１２１を庇部９９の根本に固着するの
ではなく、庇部９９の先端寄りに固着することも可能である。図２６（ａ）は比較的庇部
９９と内レール５２の重複量が大きい実施の形態である。また、図２６（ｂ）は重複量は
それほどではないが、庇部９９と内レール５２がより近い実施の形態である。これらのよ
うな構成では内レール５２によって遊技者から紐部材１２１が見えなくなるため、例え不
正操作用具を巧みに操って庇部９９と内レール５２の間を縫って進出させようとしても見
えにくい紐部材１２１が邪魔となって進出させることは極めて困難になる。従って、より
不正が行いにくくなる。  
【００７５】
図２５の変形例として扉枠６１の閉鎖の際に内レール５２と紐部材１２１とをより密着
させるようにしてもよい。その際に図２９に示すように紐部材１２１に内レール５２方向
に傾斜した傾斜部１２１ａを形成するような断面形状に構成することも可能である。この
ように構成すれば扉枠６１の閉鎖とともに徐々に傾斜部１２１ａは内レール５２の下面と
接するようになり更に紐部材１２１は押圧されていくこととなって両者の密着度が増すた
め不正操作器具の挿入がより一層困難となる。また、紐部材１２１が内レール５２前端で
押しつぶされたり過剰な摩擦力によって紐部材１２１が庇部９９から引き剥がされたりす
るようなこともなくなる。傾斜部１２１ａの形状は図２９に限定されることはない。  
【００７６】
・紐部材１２１を内レール５２側裏面に装着することも可能である。
・紐部材１２１は必ずしも可撓性がなくとも構わない。上記（１）の効果が期待できる
ためである。
・紐部材１２１は内レール５２や庇部９９の全長に配設されていなくとも構わない。  
【００７７】
図２５に示すように、庇部９９の両サイド寄りを上記実施の形態のように先細りにしな
くて、全長に渡って同じ幅で構成してもよい。例えば、図２７に示すように、重複配置さ
れる内レール５２と庇部９９との間隔を、扉枠６１を開放しても庇部９９が内レール５２
に当たらない程度に十分離間させていればよいからである。  
【００７８】
上記実施の形態では庇部９９はガラスフレーム７６にモールド成形によって一体的に形
成されていたが、図２８に示すように、庇部９９を別体で構成しガラスフレーム７６の後
面８１Ｂに固定するようにしてもよい。また、固定は接着剤で取れないようにしてもよく
、ネジ１２２等の締着部材で着脱可能にしてもよい。  
【００７９】
・上記ガラスフレーム７６の構成は一例であって、これに限定されるものではない。例
えば、上記実施の形態ではガラスユニット７５は扉枠６１に対して回動して開閉可能とさ
れていたが、開閉できなくとも構わない。また、扉枠６１へのガラスユニット７５の装着
方法は特に限定はされない。つまり、上記のようにクランプユニット６０やクランプレバ
ー５８を使用せず他の固定手段を使用することも自由である。  
【００８０】
・  上記実施の形態ではガラスフレーム７６の下側位置に庇部９９を形成するようにした
が、この形成位置の周囲に庇部９９を更に延長して形成するようにしてももちろん構わな
い。
・上記実施の形態ではガラスフレーム７６の凸条８２によって画定される内周は略楕円
環状とされていたが、例えば円形や方形であっても構わない。また、庇部９９は平板部８
１に沿って延出されており、結局ガラス板７７，７８に沿って延出されることとなってい
たが、必ずしもガラス板７７，７８に沿って延出される必要はない。
・上記実施の形態ではガラスフレーム７６から突出部としての庇部９９が突出すること
となっていたが、本発明は本来突出部の形成位置としてガラスフレーム７６に限定される
ものではない。  
【００８１】
・上記実施の形態のパチンコ遊技機１１では扉枠６１に上受け皿６７、下受け皿７１、
遊技球打ち出し用ハンドル７３が配設されていたが、本発明は扉枠６１とは別体のパネル
体に下受け皿や、遊技球打ち出し用ハンドルを配設するようにしたパチンコ遊技機に応用
することも自由である。
・上記実施の形態においてはいわゆる第１種始動口付きパチンコ遊技機に応用したが、
レール部材と扉体側に形成させた突出部との関係で不正防止が可能なパチンコ遊技機であ
れば機種は問わない。
・上記実施の形態では図１２〜図１４に示すように庇部９９の左右両サイド寄りにテー
パ部９９ａを形成するようにしたが、パチンコ球発射通路４９を落下してくるパチンコ球
が庇部９９に衝突しないようにすることを目的とするのであれば、パチンコ球発射通路４
９に面した側のみにテーパ部９９ａを形成するようにしてもよい。また、落下してくるパ
チンコ球の庇部９９への衝突を回避できれば上記テーパ部９９ａ以外の形状であっても構
わない。
その他、本発明の趣旨を逸脱しない態様で実施することは自由である。  
【００８２】
上記発明に適宜追加可能な上記実施の形態から把握できる本発明のその他の技術的思想
について下記に付記として説明する。
（１）前記突出部は同レール部材が装着される基体（扉枠或いは保持枠体）とは別体に
構成され、同基体に対して着脱可能とされていることを特徴とする上記各発明に記載のパ
チンコ遊技機。
これによって、突出部に不具合が生じた場合に突出部のみを交換することができる。  
（２）前記突出部は同レール部材が装着される基体（扉枠或いは保持枠体）とは別邸に
構成され、同基体に対して着脱不能に固着されていることを特徴とする上記各発明に記載
のパチンコ遊技機。
このような構成であれば、特に既に設置済みの突出部のないパチンコ遊技機でも接着剤
等で簡単に突出部を装着させることが可能となる。  
（３）前記封塞部材は前記突出部の先端寄り上面に配設され、同突出部は前記レール部
材と重複していることを特徴とする上記発明８以下に記載のパチンコ遊技機。
このような構成では封塞部材がレール部材に隠されて遊技者から見にくく、封塞部材を
かいくぐって不正操作用具を遊技領域方向に進出させることが困難となる。
（４）前記庇状に後方に張り出した突出部の少なくともパチンコ球発射通路に面した端
部はパチンコ球発射通路を逆進するパチンコ球が衝突しないように逃げ部が形成されてい
ることを特徴とする発明７〜１２もしくは付記１〜３のいずれかに記載のパチンコ遊技機
。
ここに、逃げ部とは上記実施の形態ではテーパ部９９ａが相当する。逃げ部としたのは
パチンコ球が直接突出部（上記実施の形態では庇部９９）に衝突しない形状であれば特に
限定されないことを意図する。
【符号の説明】
【００８３】
１１…パチンコ遊技機、１４…遊技体としての本体枠、２７…遊技体の一部をなす遊技盤
、２７ａ…遊技面、５２…レール部材としての内レール、６１…扉体としての扉枠、６２
…窓部、６７…パチンコ球用受け皿としての上受け皿、６８…通路、７７，７８…透明体
としてのガラス板、７５…透明体ユニットとしてのガラスユニット、７６…保持枠体とし
てのガラスフレーム、９９…突出部としての庇部。
【図１】
2014230953.tif 000003
【図２】
2014230953.tif 000004
【図３】
2014230953.tif 000005
【図４】
2014230953.tif 000006
【図５】
2014230953.tif 000007
【図６】
2014230953.tif 000008
【図７】
2014230953.tif 000009
【図８】
2014230953.tif 000010
【図９】
2014230953.tif 000011
【図１０】
2014230953.tif 000012
【図１１】
2014230953.tif 000013
【図１２】
2014230953.tif 000014
【図１３】
2014230953.tif 000015
【図１４】
2014230953.tif 000016
【図１５】
2014230953.tif 000017
【図１６】
2014230953.tif 000018
【図１７】
2014230953.tif 000019
【図１８】
2014230953.tif 000020
【図１９】
2014230953.tif 000021
【図２０】
2014230953.tif 000022
【図２１】
2014230953.tif 000023
【図２２】
2014230953.tif 000024
【図２３】
2014230953.tif 000025
【図２４】
2014230953.tif 000026
【図２５】
2014230953.tif 000027
【図２６】
2014230953.tif 000028
【図２７】
2014230953.tif 000029
【図２８】
2014230953.tif 000030
【図２９】
2014230953.tif 000031
【図３０】
2014230953.tif 000032
【図３１】
2014230953.tif 000033
【図３２】
2014230953.tif 000034
【図３３】
2014230953.tif 000035
【図３４】
2014230953.tif 000036
【図３５】
2014230953.tif 000037